(57)【要約】【課題】  最小の手順で、且つ確実に警報音を鳴らすことが可能な防犯機能付き携帯電話を提供する。【解決手段】  画面と、プッシュボタンと、携帯電話本体とを備え、携帯電話本体内部には防犯ブザー機能が設けられ、携帯電話本体を所定以上の力で押圧すると、防犯ブザーが作動して警報音を鳴らす。携帯電話本体内部には、複数の防犯ブザー用スイッチが設けられていても良い。また、携帯電話本体内部に設けられた防犯ブザー用スイッチの複数が同時に押された時に防犯ブザーが作動して警報音を鳴らす構造であっても良い。【選択図】  図１
2005218004.tif 000002
【特許請求の範囲】
【請求項１】
画面と、プッシュボタンと、携帯電話本体とを備え、該携帯電話本体内部には防犯ブザー機能が設けられた携帯電話であって、該携帯電話本体を所定以上の力で押圧すると、該防犯ブザーが警報音を鳴らすことを特徴とする防犯機能付き携帯電話。
【請求項２】
前記携帯電話本体内部には、複数の防犯ブザー用スイッチが設けられていることを特徴とする請求項１に記載の防犯機能付き携帯電話。
【請求項３】
前記防犯ブザーは、複数の前記防犯ブザー用スイッチが同時に押された時に警報音を鳴らすことを特徴とする請求項２に記載の防犯機能付き携帯電話。
【請求項４】
前記携帯電話本体の外部には、該携帯電話本体を被覆するケース部材が設けられ、該携帯電話本体と該ケース部材には間隙が設けられ、該ケース部材を所定以上の力で押圧すると、該携帯電話本体と該ケース部材内部が接触し、前記防犯ブザーが警報音を鳴らすことを特徴とする請求項１に記載の防犯機能付き携帯電話。
【請求項５】
前記防犯ブザーは、前記ケース部材内部と前記携帯電話本体の複数箇所が同時に接触したときに警報音を鳴らすことを特徴とする請求項４に記載の防犯機能付き携帯電話。
【発明の詳細な説明】
【技術分野】
【０００１】
本発明は、防犯用器具に関するものであり、その中でも防犯ブザー機能を有した携帯電話に関するものである。
【背景技術】
【０００２】
近年、ひったくり、窃盗、ストーカー、誘拐といった様々な犯罪が増加している。更に、上記したこれらの犯罪が、成人男性よりも力が弱いとされている子供、女性、老人などを対象に起きており、非常に大きな社会問題となっている。
【０００３】
その結果、防犯意識が非常に高まり、実際に上記したような犯罪に遭遇したとき、いかにして自己防衛するか問題となってきている。そして、様々な防犯用グッズが注目されるようになってきた。
【０００４】
防犯具は大きく分けて二種類に分類され、一つは犯罪者に身体的苦痛を与えて撃退しようとするタイプであり、催涙スプレー、スタンガンが挙げられる。もう一つは、自分が危険にさらされていることを周囲に知らせるタイプのものであり、防犯ブザーが一般的である。特に子供の場合、防犯具を使用しても犯罪者を撃退することが難しいため、防犯ブザーの所持が多い。
【０００５】
防犯ブザーについても、様々な形態のものが開発・販売されている。例えば、防犯ブザーの特定のボタンを押すと警報音が鳴るタイプのものや、防犯ブザーから紐や部材を抜き取ると警報音が鳴るタイプのものなどがある。
【０００６】
また、近年の携帯電話の普及に伴い、防犯ブザー機能を有する携帯電話についての特許や実用新案なども出願されている。特開２００３−６０７５３に開示されている発明は、携帯電話のアンテナを引き抜くと防犯ブザーが作動して警報音が鳴る防犯ブザー機能付き携帯電話についての発明が記載されているまた、特開２００１−１８４０２１には、携帯電話のストラップを引き抜くと防犯ブザーが作動して警報音が鳴る防犯ブザー機能付き携帯電話についての発明が記載されている。
【特許文献１】特開２００３−６０７５３
【特許文献２】特開２００１−１８４０２１
【発明の開示】
【発明が解決しようとする課題】
【０００７】
しかしながら、上記した防犯ブザー及び防犯ブザー機能付き携帯電話は、防犯ブザーを作動させるための手順が多く、咄嗟の状況で使いづらいという問題を有していた。特開２００３−６０７５３に開示の発明は、防犯ブザーを作動させるために携帯電話のアンテナを引き抜く必要がある。しかし、アンテナを引き抜くには、一方の手で携帯電話本体を持ち、もう一方の手でアンテナを引き抜かなければならない。これでは、咄嗟の状況で、即座に防犯ブザーを作動させることができない。例えば、犯罪者に片腕を捕まれてしまった場合では、携帯電話を握ることが出来ても、アンテナを引き抜くことができず、防犯ブザーを作動させることができないというおそれがある。
【０００８】
また、特開２００１−１８４０２１に開示の発明も同様に、防犯ブザーを作動させるには、ストラップを引き抜く必要がある。しかし、咄嗟の状況でストラップを引き抜くには、一方の手で携帯電話本体を持ち、もう一方の手でストラップを引き抜かなければならず、咄嗟の状況で防犯ブザーを作動させることができないというおそれがある。
【０００９】
また、所定のボタンを押すと防犯ブザーが作動するタイプのものも、咄嗟の状況では慌てているため、瞬時に且つ正確に所定のボタンを押すことができないおそれがあるという問題を有していた。
【００１０】
以上のことから、防犯ブザーを作動させる人間の年齢性別を問わずに誰もが片手で操作でき、最小の手順で瞬時且つ確実に防犯ブザーを作動させることが可能な防犯機能付き携帯電話の開発が望まれていた。
【課題を解決するための手段】
【００１１】
上記課題を解決するために本発明に係る防犯機能付き携帯電話は、画面と、プッシュボタンと、携帯電話本体とを備え、携帯電話本体内部には防犯ブザー機能が設けられ、携帯電話本体を所定以上の力で押圧すると、防犯ブザーが警報音を鳴らすことを特徴とする。
【００１２】
また、携帯電話本体内部には、複数の防犯ブザー用スイッチが設けられていても良い。
【００１３】
また、防犯ブザーは、携帯電話本体内部に設けられた防犯ブザー用スイッチの複数が同時に押された時に警報音を鳴らしても良い。
【００１４】
また、携帯電話本体の外部には、携帯電話本体を被覆するケース部材が設けられ、携帯電話本体とケース部材には間隙が設けられ、ケース部材を所定以上の力で押圧すると、携帯電話本体とケース部材内部が接触し、防犯ブザーが警報音を鳴らしても良い。
【００１５】
また、防犯ブザーは、ケース部材内部と携帯電話本体の複数箇所が同時に接触したときに警報音を鳴らしても良い。
【発明の効果】
【００１６】
本発明に係る防犯機能付き携帯電話は、携帯電話本体を所定以上の力で押圧すると、防犯ブザーが作動して警報音を鳴らすため、最小の手順で防犯ブザーを作動させることができ、咄嗟の状況でも瞬時に且つ正確に警報音を鳴らすことができる。
【００１７】
また、本発明に係る防犯機能付き携帯電話は、携帯電話本体外部に携帯電話本体を被覆するケース部材が設けられ、ケース部材を所定以上の力で押圧すると、携帯電話本体とケース部材内部が接触し、防犯ブザーが作動して警報音を鳴らすため、携帯電話本体を強く握るだけで防犯ブザーを作動させることができ、咄嗟の状況でも確実に警報音を鳴らすことができる。
【００１８】
また、本発明に係る防犯機能付き携帯電話は、防犯ブザー用スイッチの複数が同時に押された時、又は、ケース部材内部と携帯電話本体の複数箇所が同時に接触した時に防犯ブザーが作動して警報音を鳴らすため、防犯ブザーの誤作動が起きる可能性を低減させることができる。
【発明を実施するための最良の形態】
【００１９】
本発明に係る防犯機能付き携帯電話２について、図を参照にしながら説明する。なお、これらの図は説明の便宜上のためのものであって、本発明を何ら限定するものではない。
【００２０】
本発明に係る防犯機能付き携帯電話２は、画面８と、プッシュボタン６と、携帯電話本体４とを備えている。携帯電話本体４内部には、防犯ブザー１０が設けられており、携帯電話本体４を所定以上の力で押圧すると防犯ブザー１０が作動して警報音を鳴らすことを特徴とする。
【００２１】
上記した画面８とは、携帯電話２内に収納されたデータ、送受信された各種データなどを表示することが可能な面のことである。この画面８は、液晶を使用するのが一般的であるが、その他の表示装置を使用しても良い。画面８の大きさ、形状、設置箇所などの種々の条件は、適宜設定すれば良い。
【００２２】
また、プッシュボタン６とは、携帯電話２の各機能を操作する時に使用されるボタンの全てを指す。例えば、通話時に電話番号を打ち込むための数字ボタン、電子メールを作成するときに使用する文字ボタン、携帯電話２の電源を制御するボタン、各種機能の操作時に使用する補助ボタンなどが挙げられる。また、円盤状又は円柱状の部材を回転させて使用するダイヤル状部材や、突起状部材を操作するレバー状部材なども、携帯電話２の各機能を操作する時に使用されるのであれば、本発明ではプッシュボタン６とする。また、画面８に感圧パネルなどを使用して画面８にボタン図を表示し、画面８のボタン図を押すと、通常のプッシュボタン６と同様に機能する構造であったとしても、本発明ではプッシュボタン６とする。
【００２３】
本発明に係る防犯ブザー１０は、防犯ブザー１０装置又は機器を携帯電話本体４内部に設けても良いし、携帯電話２の機能の一つとして防犯ブザー機能を設けても良く、警報音を鳴らすことができれば、その形態、構造などについて特に限定せず、適宜設定すれば良い。また、防犯ブザー１０又は防犯ブザー機能を設けなくても、携帯電話２内部に予め収納されている音源を利用し、警報音として鳴らしても良い。
【００２４】
本発明に係る携帯電話２は、画面８、プッシュボタン６の他にもどのような部材が設けられていても良く、適宜設定すれば良い。携帯電話本体４の内部構造についても適宜設定すれば良い。また、携帯電話本体４、画面８、プッシュボタン６の配置、形状などの種々の条件も適宜設定すれば良い。また、携帯電話２が有する各種機能についても、適宜設定すれば良い。
【００２５】
ここで、本発明に係る防犯機能付き携帯電話２で防犯ブザー１０を作動するに必要な所定以上の力とは、通常時の携帯電話２使用時で携帯電話本体４を保持している時よりも強い力とする。具体的な数値については、種々の条件を考慮して適宜設定すれば良いが、携帯電話２の通常使用時に若干強めに力を加えただけで頻繁に防犯ブザー１０が作動したり、咄嗟の状況で携帯電話２を強く握っても防犯ブザー１０が作動しないことがないよう、防犯ブザー１０の作動に必要な力を注意して設定する必要がある。
【００２６】
次に、本発明に係る防犯機能付き携帯電話２が、防犯ブザー１０を作動して警報音を鳴らす仕組みについて説明する。図１は、本発明に係る防犯機能付き携帯電話２の一実施の形態を示した説明図であり、図２は本発明に係る携帯電話２の内部構造を示した説明図である。この携帯電話２は、携帯電話本体４内部に複数個の感圧式スイッチ１２が設けられており、このスイッチ１２が押されると防犯ブザー１０が作動して警報音が鳴る仕組みになっている。
【００２７】
図１の携帯電話本体４に示された点線部分は、感圧式スイッチ１２が設けられた部分であり、この部分は携帯電話本体４が内部側に向かって押し込み可能な構造になっている。この図中点線部分が所定以上の力で押圧されると、点線部分が携帯電話本体４内部側に押し込まれ、感圧式スイッチ１２が押されて防犯ブザー１０が作動する。この図中点線部分は、携帯電話本体４の他の部位よりも軟性を有した軟性プラスチック、ゴムといった材料で形成しても良い。また、図中点線部分を所定以上の力で押圧すると点線部分が破損し、感圧式スイッチ１２を押せるような構造であっても良い。また、図中点線部分と携帯電話本体４の他の部分を分離し、この点線部分を携帯電話本体４内部側から何らかの圧力によって保持し、所定以上の力で押圧した時に点線部分が携帯電話本体４内側に押し込むことが可能な構造であっても良い。携帯電話本体４内部に設けられた防犯ブザー用スイッチ１２を押すための構造については、上記した他にも適宜設定すれば良い。携帯電話本体４内部に設ける防犯ブザー用スイッチ１２の設置数、設置位置、大きさや形状といった種々の条件は、適宜設定すれば良い。
【００２８】
また、携帯電話本体４内部に設けられた防犯ブザー用スイッチ１２の複数が同時に押された時に、防犯ブザー１０が作動する仕組みになっていても良い。ここでの同時とは、複数の防犯ブザー用スイッチ１２の押された時間差が全くない状態だけに限定せず、所定の時間差内で複数の防犯ブザー用スイッチ１２が押されたのであれば、同時とする。この所定の時間差は、適宜設定すれば良い。この構造にすることで、通常使用時の誤作動を低減させることができる。
【００２９】
次に、図３は防犯機能付き携帯電話２の一実施の形態を示した説明図であり、図４は図３に示された携帯電話２の内部構造を示した説明図である。この防犯機能付き携帯電話２は、携帯電話本体４の外部に携帯電話本体４を被覆するケース部材１４が設けられている。携帯電話本体４とケース部材１４には間隙が設けられ、ケース部材１４が所定以上の力で押圧されると、携帯電話本体４とケース部材１４内部が接触し、防犯ブザー１０が作動する構造になっている。携帯電話本体４の外周全体には感圧スイッチ１２の一端末を設け、ケース部材１４の内側部全体には感圧スイッチ１２のもう一方の端末を設け、携帯電話本体４とケース部材１４内部を防犯ブザー用スイッチ１２とする構造が良いが、その他の構造であっても良く、携帯電話本体４とケース部材１４内部が接触して防犯ブザー１０が作動する仕組みについては、適宜設定すれば良い。携帯電話２をこの構造にすると、携帯電話本体４のどの部分を握っても、所定以上の力で押圧すれば防犯ブザー１０を作動させることができるため、咄嗟の状況下でも確実に警報音を鳴らせることができる。
【００３０】
また、ケース部材１４と携帯電話本体４は、同時に複数箇所が接触すると警報音が鳴る仕組みになっていても良い。ケース部材１４と携帯電話本体４が一箇所接触した状態で防犯ブザー１０が作動する構造では、例えば高所から携帯電話２を落とした時、衝撃によってケース部材１４と携帯電話本体４が接触して防犯ブザー１０が作動する可能性がある。しかし、ケース部材１４と携帯電話本体４の複数箇所が同時に接触したときに防犯ブザー１０が作動すれば、高所から携帯電話２を落としても、防犯ブザー１０が作動しないため、防犯ブザー１０の誤作動を防止することができる。
【００３１】
また、防犯ブザー１０又は防犯機能付き携帯電話２の一機能として、作動した防犯ブザー１０又は警報音を停止する機能を有していても良い。例えば、防犯ブザー１０が作動して警報音が鳴った後、携帯電話２に予め設定された暗証コードを入力すると防犯ブザー１０を停止したり、警報音を消音したりするような機能を有していても良い。この機能を有していれば、例えば犯罪者に携帯電話２を略奪されたとしても、暗証コードを入力するまで警報音が停止しないため、周囲に緊急事態であることを知らせ続けることが可能である。また、この機能を有することで、防犯ブザー１０が誤作動しても即座に停止することができる。また、作動した防犯ブザー１０を停止させるまで警報音が鳴り続ける構造であっても良いし、所定の時間が経過すると自動的に警報音が停止する構造であっても良い。
【００３２】
また、本発明に係る防犯機能付き携帯電話２は、防犯ブザー１０が作動して警報音を鳴らすのと同時に、携帯電話２の通話機能、通信機能を使用して、予め設定された場所へ何らかの信号を自動的に送信する機能を有していても良い。例えば、防犯ブザー１０が作動して警報音を鳴らした時に、警察、警部会社、自宅といった場所へ自動的に通信すれば、確実に緊急事態であることを誰かに知らせることができ、犯罪の防止及び犯罪者の確保に貢献することができる。
【００３３】
また、携帯電話２に限らず、通常の防犯具においても、防犯具の本体又は一部を所定の力で押圧すると防犯ブザー１０が作動して警報音を鳴らす構造であっても良い。例えば、防犯ブザー本体を所定の力で強く握ると警報音が鳴るといった構造であれば、咄嗟の状況でも確実に防犯ブザーを作動させることができる。また、催涙スプレーといったような相手に苦痛を与えて犯罪者を撃退しようとするタイプの防犯具にもこの構造を用いて、防犯具を強く握れば防犯ブザーが作動して警報音を鳴らすようにしても良い。この様な構造にすれば、犯罪者を撃退できなかったとしても、警報音を鳴らして周囲の者に自身が危険な状況であることを知らせることができる。
【００３４】
以上が、本発明に係る防犯機能付き携帯電話２についての説明であるが、本発明の趣旨を逸脱しない限り、種々の条件及び設定は変更が可能である。
【産業上の利用可能性】
【００３５】
本発明に係る携帯電話２は、携帯電話本体４を所定の力以上で握ると警報音が鳴る仕組みになっているため、病院内で患者に所持させれば、ナースコールとして使用することもできる。また、自宅介護などでも使用することができる。
【図面の簡単な説明】
【００３６】
【図１】本発明に係る防犯機能付き携帯電話の一実施の形態を示した説明図である。
【図２】図１に示した携帯電話の内部を示した部分分解図である。
【図３】本発明に係る防犯機能付き携帯電話の一実施の形態を示した説明図である。
【図４】図３に示した携帯電話の内部を示した部分分解図である。
【符号の説明】
【００３７】
２    携帯電話
４    携帯電話本体
６    プッシュボタン
８    画面
１０  防犯ブザー
１２  スイッチ
１４  ケース部材
【図１】
2005218004.tif 000003
【図２】
2005218004.tif 000004
【図３】
2005218004.tif 000005
【図４】
2005218004.tif 000006